(57)【特許請求の範囲】
【請求項１】
アンテナに接続された無線信号の送受を行なう送受信部と、受話用スピーカと、送話用マイクと、電話番号入力部と、表示部と、内部メモリと、前記送受信部と前記スピーカと前記マイクと前記入力部と前記表示部と前記内部メモリとを接続され、それらを制御する制御回路とからなる携帯電話機において、
前記内部メモリに、内線番号記憶領域と変換テーブルとを設け、
専用特番と内線番号を送信し、前記内線番号を前記内線番号記憶領域に記憶し、
ＤＩＳＣＯＮＮＥＣＴ信号を受信したとき、一旦切断処理を行ったあと、前記変換テーブルを参照して前記専用特番に対応する電話番号に発呼し、
ＣＯＮＮＥＣＴ信号を受信したとき、前記内線番号記憶領域に記憶した前記内線を送信することを特徴とする携帯電話機。
【発明の詳細な説明】
【技術分野】
【０００１】
本発明は携帯電話機および移動交換機に係り、特に社内内線電話システム用携帯電話機および移動交換機に関する。
【背景技術】
【０００２】
携帯電話機を社内内線電話機として使用するシステムとして、ＷＯＳ（Wireless Office Service）システムがある。ＷＯＳシステムとは、社内または学内のような限られた空間にＷＯＳシステム用の無線基地局を設置し、構内交換機（ＰＢＸ）と接続し、携帯電話機をＷＯＳシステムへ登録することにより、ＷＯＳシステムの通信サービスエリア内であれば携帯電話機を内線電話機として使用し、携帯電話機からの内線番号発信により社内内線電話機への接続できるようにしたものである。ＷＯＳシステムにおいて、発呼者がＷＯＳシステムのサービスエリア内にいる場合、接続したい相手がＷＯＳシステムサービスエリア内外に関係なく内線番号の前に専用特番を付与して発信することで、ＷＯＳシステム基地局を介して呼び出すことができる。一方、発呼者がＷＯＳシステムサービスエリア外にいる場合、発呼者はまず会社の大代表番号に電話をかけ、ＰＢＸからの「内線を押してください」という自動応答ガイダンスが流れたら、接続したい内線番号をプッシュすることで、該当する内線番号の携帯電話機を呼び出すことができる（非特許文献１の図８参照）。
【０００３】
特許文献１および特許文献２には、携帯電話機の内線呼出番号と外線呼出番号を対応して記憶するＲＯＭを有する無線電話装置が記載されている。この無線電話機は、キー入力部のキー換作で内線呼出指定された携帯電話機が呼出エリア内にいない場合には、ＤＴＭＦコードメモリから前記ＲＯＭに記憶の外線呼出番号に対応するＤＴＭＦコードを音声コーディック部へ出力させる。これにより、外線呼出番号に対応するＤＴＭＦ信号が回線インターフェース部から出力されて、携帯電話機が呼び出される。
【０００４】
【特許文献１】特開平０６−０６２４５５号公報
【特許文献２】米国特許５，３７９，３３９明細書
【非特許文献１】「ベスト・チョイスの電話番号計画」、日経コミュニケーション、日経ＢＰ社、２００５年５月１５日号、５０ページ
【発明の開示】
【発明が解決しようとする課題】
【０００５】
ＷＯＳのサービスエリア内から内線電話機に接続する場合、発呼者は接続先内線番号の前に専用特番を付与して発信すればよい。また、ＷＯＳシステムのサービスエリア外から内線電話機に接続する場合、発呼者は一旦外線発信を行ってＰＢＸに接続し、ＰＢＸからの自動交換応答メッセージの後、内線番号を入力しなければならない。サービスエリア内外で番号を使い分ける必要があり、内線接続のためのキー操作が煩雑であるという不都合がある。
【０００６】
発呼者がサービスエリア内にいる場合について、特許文献１または特許文献２では、接続相手がシステムのサービスエリア内にいない場合でも、サービスエリア内にいる時と同じ発信操作で接続する方法を実現している。しかし、発呼者がサービスエリア外にいる場合の発呼方法については考慮されていない。本発明は上記の問題点を解決するもので、本発明の目的は、発呼者の携帯電話がＷＯＳシステムエリア内にいるか否かにかかわらず、発呼者は同じ番号を使い、発呼のための操作を同じにすることで、社内内線電話機に接続することが可能となる携帯電話機を提供することである。
【課題を解決するための手段】
【０００７】
発呼者は接続先の内線番号の前に専用特番を付与して発信する。この時、入力された内線番号を携帯電話機内のメモリに記憶させる。ＷＯＳシステムのサービスエリア外の場合、移動交換機から接続不可信号および音声メッセージを受信する。携帯電話機はその接続不可信号を契機に切断処理を行い、専用特番を外線番号に変換して再発信し、ＰＢＸに接続する。ＰＢＸからの接続信号および自動交換応答メッセージの受信後、記憶した内線番号を自動送信することで、内線電話機への接続が可能となる。
【０００８】
本発明の携帯電話機は、入力された内線番号を記憶するメモリ、および、専用特番を外線番号に変換する変換テーブルを持ち、移動交換機からの接続不可信号の受信後、自動的に交換機との接続切断処理を行い、変換テーブル内の外線番号で再発信する機能、ＰＢＸに接続した時の接続信号の受信後、携帯電話機内メモリに記憶した内線番号を送信する機能、および、移動交換機またはＰＢＸに接続時の音声ガイダンス中に発呼者が携帯電話機を操作しないようなメッセージ表示機能を具備する。
【発明の効果】
【０００９】
本発明により、ＷＯＳシステムのサービスエリア内外にかかわらず、内線電話への接続の際に同じ番号を使えるようになり、発呼のための操作が同じになる。
【発明を実施するための最良の形態】
【００１０】
本発明の実施の形態について、実施例を用いて図面を参照しながら説明する。なお、同一部位には同じ参照番号を振り、説明は繰り返さない。
【実施例１】
【００１１】
図１ないし図５を用いて、実施例１を説明する。ここで、図１はＷＯＳシステムおよび移動通信網を説明するブロック図である。図２は携帯電話機のブロック図である。図３は携帯電話機のメモリに保持する内容を説明する図である。図４は携帯電話機、無線基地局、移動交換機、ＰＢＸ、固定内線電話機間のシーケンス図である。図５は携帯電話機、無線基地局、移動交換機、ＰＢＸ、ＢＳＣ、ＷＯＳ基地局、ＷＯＳ携帯電話機間のシーケンス図である。
【００１２】
図１において、ＷＯＳシステムは、携帯電話機１００と無線信号の送受信を行うＷＯＳ基地局１２０、ＷＯＳ基地局１２０を制御するＢＳＣ（Base Station Controller）１７０、構内電話の交換機であるＰＢＸ１３０、社内内線電話機１４０から構成される。移動通信網は、ＷＯＳシステムのサービスエリアから持ち出された携帯電話機１１０と無線信号の送受信を行う無線基地局１５０、移動交換機１６０から構成される。ＰＢＸ１３０はＢＳＣ１７０と移動交換機１６０に接続されている。
【００１３】
携帯電話機１００、１１０は、共にＷＯＳシステムサービスに対応する電話機である。したがって、携帯電話機１００は、携帯電話番号（この場合０９０−１２３４−５６７８）２１３と内線番号（この場合５１２３）２１２を有する。同様に、携帯電話機１１０は、携帯電話番号（この場合０９０−１２１２−３４３４）２１５と内線番号（この場合５７８９）２１４を有する。また、内線電話機は、内線番号（この場合４１１１）２１１のみを有する。
【００１４】
図２において、携帯電話機１００/１１０は、無線信号の送受信を担う送受信部４０１、信号の変換および全体制御を担う制御回路部４０２、番号入力、発呼等の操作を行う入力部４０３、内部メモリ４０４、表示を担う表示部４０５、音声メッセージの出力と受話に用いるスピーカ４０６、送話を行なうマイク４０７、送受信部に接続されたアンテナ４０８から構成される。
【００１５】
図３を用いて、携帯電話機１１０が、その内部メモリ４０４に具備するデータを説明しよう。内部メモリ４０４には、一時的に内線番号を記憶する内線番号記憶領域１０１と、専用特番を外線番号に変換するための変換テーブル１０２、内線番号と携帯電話番号を対応させた電話帳１０７を保持する。変換テーブル１０２を用いた場合、変換前番号１０３に登録された番号が変換後番号１０４に登録された番号に変換される。電話帳１０７は、ここでは１件のレコードしか記載していないが、一般には多数のレコードからなる。電話帳１０７は、通信相手がＷＯＳシステムサービスエリアにいないとき、通信相手の内線番号を携帯電話機番号に変換することに用いられる。
【００１６】
携帯電話機１１０のユーザである発呼者はあらかじめ、変換テーブル１０２の変換前番号１０３として専用特番２１０（この場合、＊５５）を、変換後番号１０４に専用特番に対応する外線番号２２０（この場合、０４５−９９９−９９９９）を登録しておく。ここで、外線番号２２０は、図１のＰＢＸ１３０の番号である。
【００１７】
図４を用いて、ＷＯＳシステムのサービスエリア外の携帯電話機１１０から、内線電話機１４０に接続する場合について説明する。携帯電話機１１０を所有する発呼者は、専用特番２１０（＊５５）と内線電話機１４０の内線番号２１１（４１１１）を携帯電話機１１０のキー入力部４０３に入力し、発信する。この時、携帯電話機１１０は、内部メモリ４０４内に具備された内線番号記憶領域１０１に内線番号２１１を記憶する。発信により、携帯電話機１１０は無線基地局１５０を経由して移動交換機１６０に接続される（Ｓ４０１）。移動交換機１６０は、専用特番では受信先が不明なので、携帯電話機１１０に対して、接続不可の音声ガイダンスとＤＩＳＣＯＮＮＥＣＴ信号２３０を送信する（Ｓ４０２）。携帯電話機１１０はＤＩＳＣＯＮＮＥＣＴ信号２３０を受信すると、移動交換機１６０との接続を一旦切断するための切断処理２３１を行う（Ｓ４０３）。携帯電話機１１０はメモリ４０４に具備された変換テーブル１０２を参照し、変換前番号１０３に登録した専用特番２１０（＊５５）を、変換後番号１０４に登録した外線番号２２０（例えば０４５−９９９−９９９９）に変換し（Ｓ４０４）、再度発信する（Ｓ４０５）。
【００１８】
以上により、携帯電話機１１０は、無線基地局１５０、移動交換機１６０を経由してＰＢＸ１３０に接続される（Ｓ４０６）。ＰＢＸ１３０は携帯電話機１１０に対し、自動応答交換メッセージ２２１とＣＯＮＮＥＣＴ信号２２２を送信する（Ｓ４０７）。携帯電話機１１０はＣＯＮＮＥＣＴ信号２２２を受信すると、発呼時に携帯電話機内の内線番号記憶領域１０１に記憶した内線番号２１１（４１１１）を送信する。ＰＢＸ１３０は内線番号２１１（４１１１）の内線電話機１４０を呼び出し、これにより、携帯電話機１１０と内線電話機１４０が接続される（Ｓ４０８）。
【００１９】
ＷＯＳシステムのサービスエリア外の携帯電話機１１０から、ＷＯＳシステムに登録された携帯電話機１００に接続する場合について、図５を用いて説明する。携帯電話機１１０を所有する発呼者は、専用特番２１０（この場合＊５５）と携帯電話機１００の内線番号２１２（この場合５１２３）を携帯電話機のキー入力部４０３に入力し、発信する。この時、携帯電話機内の内部メモリ４０４内に具備された内線番号記憶領域１０１に内線番号２１２（５１２３）を記憶する。以下ＰＢＸが送信した自動応答交換メッセージ２２１とＣＯＮＮＥＣＴ信号２２２を携帯電話機１１０が受信するまでは、図４と同様なので省略する。
【００２０】
携帯電話機１１０はＣＯＮＮＥＣＴ信号２２２を受信すると、発呼時に携帯電話機内の内線番号記憶領域１０１に記憶した内線番号２１２（５１２３）を送信する。ＰＢＸ１３０は、ＢＳＣ１７０へと接続し、ＷＯＳ基地局１２０を経由して、携帯電話機１００が呼び出され、携帯電話機１１０と携帯電話機１００が接続される（Ｓ４０９）。
【００２１】
ＷＯＳシステムのサービスエリア外の携帯電話機１１０から、ＷＯＳシステムに登録された携帯電話機１００に接続する場合について、変形実施例を説明する。あらかじめ、携帯電話機１１０には携帯電話機１００の内線番号２１２（この場合５１２３）と携帯電話番号２１３（この場合０９０−１２３４−５６７８）を電話帳１０７に登録しておく。携帯電話機１１０を所有する発呼者は、専用特番２１０（＊５５）と携帯電話機１００の内線番号２１２（５１２３）を携帯電話機のキー入力部４０３に入力し、発信する。携帯電話機１１０は、無線基地局１５０を経由して移動交換機１６０に接続される。移動交換機１６０は携帯電話機１１０に対して、接続不可の音声ガイダンスとＤＩＳＣＯＮＮＥＣＴ信号２３０を送信する。携帯電話機１１０はＤＩＳＣＯＮＮＥＣＴ信号２３０を受信すると、移動交換機１６０との接続を一旦切断するための切断処理２３１を行う。そして、電話帳１０７を参照し、携帯電話機１００の携帯電話番号２１３（０９０−１２３４−５６７８）に変換し、再度発信する。これにより、携帯電話機１１０は、無線基地局１５０、移動交換機１６０、ＢＳＣ１７０、ＷＯＳ基地局１２０を経由して携帯電話機１００に接続される。なお、図１に示すように移動交換機１６０はＢＳＣ１７０と直接接続しているので、ＰＢＸ１３０を介さないことに注意されたい。
【００２２】
ＰＢＸ１３０への接続時の応答が、自動応答交換メッセージ２２１のみ送信するＰＢＸである場合、携帯電話機１１０から外線番号２２０を発信した後に、携帯電話機１１０の内部メモリ１０１に記憶した内線番号２１１を自動的に送信することで、携帯電話機１１０は内線電話機１４０に接続することができる。
【００２３】
なお、最初に内線番号の前に専用特番２１０を付与して発呼した際に、交換機１６０から発生される音声メッセージ、例えば「おかけになった番号は、現在使われておりません」に発呼者が反応しないよう、例えば「再接続中です」等のメッセージを携帯電話機の表示部４０５に表示させるか、またはスピーカ４０６から音声メッセージを発生させるとよい。また、再接続中の自動応答メッセージに対しても同様の対応をするとよい。
【実施例２】
【００２４】
移動交換機による番号変換の実施例について、図６および図７を用いて説明しよう。ここで、図６は、発呼者の携帯電話機番号とＷＯＳの専用特番をＰＢＸの外線番号に変換する変換テーブルを説明する図である。また、図７は携帯電話機、移動交換機、ＰＢＸ、内線電話機間のシーケンス図である。
【００２５】
図６において、変換テーブル３００は、発呼携帯電話機番号３００と専用特番３０２と外線番号３０３とから構成される。変換テーブル３００は、あらかじめ、移動交換機１６０に具備させて置く。これによって、移動交換機１６０は、発呼携帯電話機番号「０９０−１２１２−３４３４」から「＊５５」を受信したとき、「＊５５」を「０４５−９９９−９９９９」に変換して、ＰＢＸ１３０と接続することができる。
【００２６】
図７において、ＷＯＳシステムのサービスエリア外の携帯電話機１１０から内線電話機１４０に接続する場合、携帯電話機１１０の発呼者は専用特番２１０（＊５５）と内線番号２１１（４１１１）で発信する。発信時、携帯電話機１１０の内部メモリ１０１に、内線番号２１１が記憶される。携帯電話機１１０からの発信信号が、無線基地局１５０を経由して移動交換機１６０に送信される（Ｓ４１１）。移動交換機１６０内にて変換テーブル３００を用いて、専用特番２１０（＊５５）と発呼者の携帯電話番号２１５（０９０−１２１２−３４３４）から外線番号２２０（０４５−９９９−９９９９）に変換し（Ｓ４１２）、ＰＢＸ１３０に接続する（Ｓ４１３）。ＰＢＸ１３０は、携帯電話機１１０にＣＯＮＮＥＣＴ信号２２２を送信する（Ｓ４１４）。携帯電話機１１０はＣＯＮＮＥＣＴ信号２２２の受信後、携帯電話機１１０の内部メモリ１０１に記憶された内線番号２１１を自動的に送信し、それにより、内線電話機１４０が呼び出され、接続される（Ｓ４１５）。なお、本実施例の携帯電話機１１０は、発呼者番号を通知する。
【００２７】
本実施例に拠れば、変換テーブルを一括して移動交換機に置くので、変換テーブルの更新が容易である。
【図面の簡単な説明】
【００２８】
【図１】ＷＯＳシステムおよび移動通信網を説明するブロック図である。
【図２】携帯電話機のブロック図である。
【図３】携帯電話機のメモリに保持する内容を説明する図である。
【図４】携帯電話機、無線基地局、移動交換機、ＰＢＸ、固定内線電話機間のシーケンス図である。
【図５】携帯電話機、無線基地局、移動交換機、ＰＢＸ、ＢＳＣ、ＷＯＳ基地局、ＷＯＳ携帯電話機間のシーケンス図である。
【図６】発呼者の携帯電話機番号とＷＯＳの専用特番をＰＢＸの外線番号に変換する変換テーブルを説明する図である。
【図７】携帯電話機、無線基地局、移動交換機、ＰＢＸ、内線電話機間のシーケンス図である。
【符号の説明】
【００２９】
１００…携帯電話機、１０１…内線番号記憶領域、１０２…変換テーブル、１０７…電話帳、１１０…携帯電話機、１２０…ＷＯＳシステム基地局、１３０…構内電話交換機（ＰＢＸ）、１４０…内線電話機、１５０…無線基地局、１６０…移動交換機、３００…変換テーブル、４０１…送受信部、４０２…制御回路部、４０３…入力部、４０４…内部メモリ、４０５…表示部、４０６…スピーカ、４０７…マイク、４０８…アンテナ。
【図１】
0004558635.tif 000002
【図２】
0004558635.tif 000003
【図３】
0004558635.tif 000004
【図４】
0004558635.tif 000005
【図５】
0004558635.tif 000006
【図６】
0004558635.tif 000007
【図７】
0004558635.tif 000008